(57)【要約】【課題】ＩＣチップとアンテナを、分別回収の必要がないように、かつ安価に包装容器に装着することである。【解決手段】段ボール箱の上部内周面に貼付される引裂きテープ２を導電性テープとして、情報が記録されたＩＣチップ３を引裂きテープ２に取り付け、導電性テープとした引裂きテープ２をアンテナに利用することにより、ＩＣチップ３とアンテナを、分別回収の必要がないように、かつ安価に包装容器としての段ボール箱に装着できるようにした。【選択図】図１
2006103767.tif 000002
【特許請求の範囲】
【請求項１】
開口用の引裂きテープが設けられた包装容器において、前記引裂きテープを導電性テープとして、情報が記録されたＩＣチップを前記引裂きテープに取り付け、このＩＣチップに記録された情報を、前記導電性テープとした引裂きテープをアンテナにして、非接触で読取り可能としたことを特徴とする包装容器。
【請求項２】
前記包装容器が段ボール箱である請求項１に記載の包装容器。
【請求項３】
前記ＩＣチップに記録された情報を、前記段ボール箱用の段ボールシートの製造日時、製造時の温度と湿度、原紙の銘柄、印刷インクの番号の少なくともいずれかを含む製造情報とした請求項２に記載の包装容器。
【発明の詳細な説明】
【技術分野】
【０００１】
本発明は、開口用の引裂きテープが取り付けられた包装容器に関する。
【背景技術】
【０００２】
袋や箱等の包装容器には、開口用の引裂きテープが取り付けられ、使い捨てにされるものがある。この引裂きテープは、包装容器を製造する過程で、開口される部位の周りに接着や溶着等で取り付けられ、例えば、段ボール箱の場合は、段ボールシートを製造するコルゲートマシンの出口側に設けられたテープ貼付装置で、段ボール箱が開口される部位の内周に相当する位置に、接着で貼付されている（例えば、特許文献１参照）。なお、引裂きテープの素材には、ある程度の引張強度を有する樹脂フィルム等が用いられている。
【０００３】
近年、食品や衣料品等の物品に情報記録媒体としてのＩＣチップを装着して、このＩＣチップに記録される物品に関する情報を、その品質管理や物流管理等に役立てる動きが盛んである。ＩＣチップはアンテナと組み合わせることによって、非接触で情報の読取が可能であり、ＩＣチップとアンテナを樹脂ベース等に埋め込んで一体化したＩＣタグもある。
【０００４】
前記ＩＣチップやＩＣタグは、袋や箱等の物品の包装容器に装着されることも多く、包装容器としての段ボール箱にＩＣチップを装着し、アンテナを段ボールシートの表面に印刷または塗工により形成したものもある（例えば、特許文献２参照）。また、段ボール箱に貼付される引裂きテープにＩＣタグを装着することも提案されている（例えば、特許文献３参照）。
【０００５】
【特許文献１】実公平７−４８６１５号公報（第１−２頁、第１図）
【特許文献２】特開２００２−３０８２５７号公報（第２−５頁、第１−６図）
【特許文献３】特開２００３−８１３４４号公報（第３頁、第１図）
【発明の開示】
【発明が解決しようとする課題】
【０００６】
特許文献２に記載されたように、段ボール箱にＩＣチップを装着し、アンテナを段ボールシートの表面に印刷または塗工により形成したものは、使用後の段ボール箱からＩＣチップを分別回収するのに手間がかかり、かつ、アンテナの印刷や塗工にも余分の手間を要する問題がある。
【０００７】
また、特許文献３に記載されたもののように、ＩＣタグを引裂きテープに装着すれば、引裂きテープは箱の開口時に段ボール箱から分離されるので、分別回収の手間がなくなるが、ＩＣチップとアンテナを一体化したＩＣタグは、単体のＩＣチップよりもかなり高価なものとなる問題がある。
【０００８】
そこで、本発明の課題は、ＩＣチップとアンテナを、分別回収の必要がないように、かつ安価に包装容器に装着することである。
【課題を解決するための手段】
【０００９】
上記の課題を解決するために、本発明は、開口用の引裂きテープが設けられた包装容器において、前記引裂きテープを導電性テープとして、情報が記録されたＩＣチップを前記引裂きテープに取り付け、このＩＣチップに記録された情報を、前記導電性テープとした引裂きテープをアンテナにして、非接触で読取り可能とした構成を採用した。
【００１０】
すなわち、引裂きテープを導電性テープとして、情報が記録されたＩＣチップを引裂きテープに取り付け、導電性テープとした引裂きテープをアンテナに利用することにより、ＩＣチップとアンテナを、分別回収の必要がないように、かつ安価に包装容器に装着できるようにした。
【００１１】
前記包装容器は段ボール箱とすることができる。
【００１２】
前記ＩＣチップに記録された情報を、前記段ボール箱用の段ボールシートの製造日時、製造時の温度と湿度、原紙の銘柄、印刷インクの番号の少なくともいずれかを含む製造情報とすることにより、包装容器素材である段ボールシートの品質管理と製造管理に役立てることができる。
【発明の効果】
【００１３】
この発明の包装容器は、引裂きテープを導電性テープとして、情報が記録されたＩＣチップを引裂きテープに取り付け、導電性テープとした引裂きテープをアンテナに利用するようにしたので、ＩＣチップとアンテナを、分別回収の必要がないように、かつ安価に包装容器に装着することができる。
【００１４】
前記包装容器を段ボール箱とし、前記ＩＣチップに記録された情報を、段ボール箱用の段ボールシートの製造日時、製造時の温度と湿度、原紙の銘柄、印刷インクの番号の少なくともいずれかを含む製造情報とすることにより、包装容器素材である段ボールシートの品質管理と製造管理に役立てることができる。
【発明を実施するための最良の形態】
【００１５】
以下、図面に基づき、この発明の実施形態を説明する。この包装容器は、図１（ａ）、（ｂ）に示すように、段ボールシート１で形成された段ボール箱であり、開口部となる箱の上部の内周面に導電性テープとした引裂きテープ２が接着で貼付され、引裂きテープ２の裏側の段ボールシート１側にＩＣチップ３が装着されている。内周面に引裂きテープ２が接着された部位と重なる段ボールシート１の位置には、引裂き開始マークとしての切り込み４が入れられている。
【００１６】
前記引裂きテープ２は、導電性物質である鉄粉を含浸させた強化ポリエステル樹脂をフィルムとし、その片面に粘着剤を塗布したものである。また、ＩＣチップ３には、段ボールシート１の製造日時、製造時の温度と湿度、原紙の銘柄、印刷インクの番号を含む製造情報が記録されている。これらの製造情報は、導電性テープとした引裂きテープ２をアンテナとして、段ボールシート１に不良品が生じたとき等に非接触で読み取られ、その品質管理や製造管理に役立てられる。
【００１７】
前記引裂きテープ２は、図２に示すように、段ボールシート１を製造するコルゲートマシンのダブルフェーサ１１の出口側に設けられたテープ貼付装置１２で、段ボールシート１の走行方向に貼付されている。テープ貼付装置１２は、切り替え用に２台設けられている。引裂きテープ２を貼付された段ボールシート１は、その下流側に設けられたスリッタスコアラ１３で、折り曲げ用罫線を入れられるとともに、必要に応じて幅切断され、さらにカッタ１４で所定の長さに長さ切断される。コルゲートマシンで製造された段ボールシート１は、後工程の印刷ライン等に設けられたダイカッタやロータリカッタにより、図３に示すように、フラップ部５と糊代部６を形成されるとともに、前記引裂き開始マークとしての切り込み４を入れられる。
【００１８】
前記各テープ貼付装置１２はテープ供給部１５とテープ貼付部１６とを備えている。テープ供給部１５は、図４に示すように、リール支持板１７に設けられた２つのリール１８に、引裂きテープ２を巻回したテープロール１９を取り付け、一方のリール１８から繰り出される引裂きテープ２を、２本のガイドローラ２０ａ、２０ｂを通してテープ貼付部１６に送給するものである。リール支持板１７はガイドレール２１に案内されて、走行する段ボールシート１の幅方向へ移動可能とされ、引裂きテープ２の幅方向での送給位置を調節できるようになっている。
【００１９】
前記テープ貼付部１６は、図５（ａ）、（ｂ）に示すように、テープ供給部１５から送給される引裂きテープ２を、２本のガイドローラ２２ａ、２２ｂを通して、タッチローラ２３に供給し、その外周に開口するテープ挿入穴２３ａに引裂きテープ２の先端を挿入して、チャック装置（図示省略）で挟持したものである。タッチローラ２３は揺動アーム２４に支持されて、シリンダ２５で下方に揺動され、引裂きテープ２の先端を段ボールシート１の上面（箱に組み立てられるときの内側面）に押し付けて、段ボールシート１の走行方向に引裂きテープ２を貼付する。この貼付時には、チャック装置による引裂きテープ２先端の挟持が解除される。
【００２０】
また、前記２本のガイドローラ２２ａ、２２ｂの中間には、送給される引裂きテープ２を所定の長さに切断するカッタ装置２６が設けられ、その直下に、導電性テープとした引裂きテープ２の接着面側に、予め前記段ボールシート１の製造情報が記録されたＩＣチップ３を供給貼付するチップ供給装置２７が設けられている。なお、ガイドローラ２２ａ、２２ｂ、揺動アーム２４、シリンダ２５、カッタ装置２６およびチップ供給装置２７はローラ支持板２８に取り付けられ、ローラ支持板２８はガイドレール２９に案内されて、走行する段ボールシート１の幅方向へ移動可能とされ、引裂きテープ２の幅方向での貼付位置を調節できるようになっている。
【００２１】
上述した実施形態では、段ボールシートの製造情報を予め記録したＩＣチップを、導電性テープとした引裂きテープと一緒に、包装容器としての段ボール箱に装着したが、ＩＣチップへの製造情報の記録は、段ボール箱への装着後に行なってもよい。また、ＩＣチップに記録する情報は、包装容器の製造情報に限定されることはなく、包装される物品に関する情報としてもよい。
【００２２】
さらに、本発明に係る包装容器は、実施形態の段ボール箱に限定されることはなく、他の種類の箱容器や袋容器等にも採用することができる。
【図面の簡単な説明】
【００２３】
【図１】ａは包装容器の実施形態としての段ボール箱を示す斜視図、ｂはａのIb−Ib線に沿った断面図
【図２】図１の段ボールシートを製造するコルゲートマシンのダブルフェーサ出口側の部分を示す正面図
【図３】図１の段ボール箱の展開図
【図４】図２のテープ貼付装置のテープ供給部を示す斜視図
【図５】ａは図２のテープ貼付装置のテープ貼付部を示す正面図、ｂはａの斜視図
【符号の説明】
【００２４】
１  段ボールシート
２  引裂きテープ
３  ＩＣチップ
４  切り込み
５  フラップ部
６  糊代部
１１  ダブルフェーサ
１２  テープ貼付装置
１３  スリッタスコアラ
１４  カッタ
１５  テープ供給部
１６  テープ貼付部
１７  リール支持板
１８  リール
１９  テープロール
２０ａ、２０ｂ  ガイドローラ
２１  ガイドレール
２２ａ、２２ｂ  ガイドローラ
２３  タッチローラ
２３ａ  テープ挿入穴
２４  揺動アーム
２５  シリンダ
２６  カッタ装置
２７  チップ供給装置
２８  ローラ支持板
２９  ガイドレール
【図１】
2006103767.tif 000003
【図２】
2006103767.tif 000004
【図３】
2006103767.tif 000005
【図４】
2006103767.tif 000006
【図５】
2006103767.tif 000007